(57)【要約】      （修正有）【課題】クレードルに搭載して配電盤に収納する引出し形受配電機器を盤外から搬入して盤内の「断路位置」に掛止セットする操作途上で、手動による面倒な鎖錠解除操作を要さずに機器を安全に搬入できるようにする。【解決手段】盤外から搬入した受配電機器を盤内の「断路位置」へ移動する経路途上で鎖錠機構を自動的に解除状態に拘束保持させる機械的なインターロック手段を備え、そのインターロック手段として、レバー鎖錠機構１０の解除用操作ロッド１９に対向して該操作ロッドを鎖錠／解除位置に切替え制御する上下動式のアクチュエータ２０と、該アクチュエータの下端に設けたガイドローラ２１と、該ローラに対峙して盤内に配備のクレードル底部に敷設したレール状のカム板２２とを設け、機器の盤外位置，搬入位置では操作ロッド１９を押し込んでレバー鎖錠機構１０を解除し、断路位置では前記操作ロッド１９を後退させてロックが掛かるようにする。【選択図】        図１
2008092669.tif 000002
【特許請求の範囲】
【請求項１】
クレードルに搭載して配電盤内に収容した引出し形受配電機器を主回路母線との「接続位置」，「断路位置」にロックし、外部からの釈放信号によりロック状態を釈放して機器を移動可能にする引出し形受配電機器の鎖錠装置であって、手動で操作する引出しレバーに連繋して機器台車に装備したロック棒と、クレードルの底部に配して前記ロック棒を「接続位置」,「断路位置」と対応する位置に掛止するロック板と、常時は前記引出しレバーをロック位置に鎖錠し、外部からの釈放信号を受けて引出しレバーの鎖錠を解除する電磁式のレバー鎖錠機構と、該レバー鎖錠機構に付設して鎖錠を機械的に強制解除する鎖錠解除部材とからなるものにおいて、
盤外から搬入した受配電機器を盤内の「断路位置」へ移動する経路途上で、前記の鎖錠解除部材を介してレバー鎖錠機構を解除状態に拘束保持させる機械的なインターロック手段を備えたことを特徴とする引出し形受配電機器の鎖錠装置。
【請求項２】
請求項１記載の鎖錠装置において、レバー鎖錠機構が、引出しレバーに連繋したロックカムと、該ロックカムをロック位置に係止する電磁石のアーマチュアを兼ねた係止爪片と、外部からの解除信号を受けて前記係止爪片を解除位置に吸引駆動する電磁石と、機械式の鎖錠解除部材として前記係止爪片に先端を対向して配した復帰ばね付きの操作ロッドとの組立体になり、前記操作ロッドにインターロック手段を連繋させたことを特徴とする引出し形受配電機器の鎖錠装置。
【請求項３】
請求項２記載の鎖錠装置において、インターロック手段が、鎖錠解除用操作ロッドの押し込み操作端に対向して該操作ロッドを前進／後退位置に切替え制御する上下動式のアクチュエータと、該アクチュエータの下端に設けたガイドローラと、該ガイドローラに対峙して盤内に配備のクレードル底部に敷設したレール状のカム板とからなり、かつ前記カム板を盤内における受配電機器の搬入位置と「接続位置」との間の移動経路に沿ってクレードルの底部に敷設したことを特徴とする引出し形受配電機器の鎖錠装置。
【請求項４】
請求項１記載の鎖錠装置において、受配電機器が盤内の主回路母線を接地する接地装置であることを特徴とする引出し形受配電機器の鎖錠装置。
【発明の詳細な説明】
【技術分野】
【０００１】
本発明は、配電盤の盤内に装備した接地装置などを対象とする引出し形の受配電機器を、盤内における「接続位置」,「断路位置」に掛止ロックする鎖錠装置に関する。
【背景技術】
【０００２】
頭記の接地装置は、配電盤の主回路母線に接続した回路遮断器,断路器などの受配電機器とともに盤内に設置し、盤内で主回路の点検を行う際には回路遮断器,断路器などをＯＦＦにして盤内の主回路を電力系統から断路した上で、いままで充電状態にあった主回路母線を接地して作業者の感電事故を防ぐためのものであり、実際の配電設備では充電電流などの電流開閉能力のある真空遮断器などを接地装置として使用している。
【０００３】
この接地装置は、台車付きの引出し形機器として配電盤内に配備したクレードルに搭載し、平時は接地装置を「断路位置」に引出してその背後に配した主回路母線の断路部と切り離した位置に保持しておき、盤内点検時に接地装置を「断路位置」から「接続位置」に移動して主回路断路部と接続した上で、前記の真空遮断器を閉極して主回路母線を接地するようにしている。
【０００４】
ところで、盤内に収容した前記接地装置を、誤操作，部外者のいたずらなどによって前記の「断路位置」,「接続位置」から勝手に移動すると重大な事故を引き起こすおそれがある。そこで従来では接地装置を指定の「断路位置」,「接続位置」でクレードルに掛止してこの位置から移動できないようにしたロック手段を設けるとともに、接地装置を「断路位置」→「接続位置」，「接続位置」→「断路位置」に移動する際には配電盤側との間に電気的なインターロックを取り、全て安全を確認した上で前記ロック手段に電気的な解除指令を与え、この指令によりロック手段の鎖錠を釈放した上で接地装置を手動操作により移動するようにしており、その鎖錠装置として本発明と同一出願人より提案した図６〜図１０に示す構成のものが公知であり（特許文献１参照）、その構成，動作を図面に基づいて説明する。
【０００５】
まず、図６に接地装置の全体構成を示す。図６（ａ），（ｂ）において、１は配電盤（閉鎖配電盤）、２は盤内に設置したクレードル、３はクレードル２に搭載した引出し形接地装置、３ａは接地装置の開閉部としての真空遮断器、３ｂは真空遮断器３ａの開閉操作ハンドル、３ｃは把手、３ｄは盤内に配線したケーブル（図示せず）を通じて接地装置３を制御電源に繋ぐための配線プラグ、３ｅは接地装置を積載した台車、４は接地装置３から背後に引出した端子電極に対応してクレードル２の背壁に設けた主回路断路部、５は盤内に布設した主回路母線、６は接地母線である。
【０００６】
ここで、接地装置３は台車３ｅをクレードル２の底部に敷設したレール２ａに載せ、「断路位置」Ａ（接地装置３の端子電極と主回路断路部４との間が開離した位置）と「接続位置」Ｂ（接地装置３の端子電極を主回路断路部４に接続した位置）との間に移動するようにしている。また、接地装置３を前記の「断路位置」Ａ，「接続位置」Ｂに掛止ロックするための鎖錠装置として、接地装置３の台車３ｅには前方から手動で操作する引出しレバー７に連結した上下動式のロック棒８を、また該ロック棒８に対向してクレードル２の底部側には「断路位置」Ａ，および「接続位置」Ｂと対応する位置に配置してロック棒８の先端を角穴に嵌入して台車３ｅをこの位置に掛止するロック板９を設けている。さらに接地装置３の台車上には、前記引出しレバー７を常時は鎖錠位置にオートロックし、接地装置３を配電盤１に搬入，搬出、あるいは盤内で「断路位置」，「接続位置」に移動する際に、前記ロック棒８の鎖錠を解除可能にするレバー鎖錠機構１０（レバー鎖錠機構１０の詳細構造は後記する）を装備している。なお、３ｆは前記レバー鎖錠機構１０への部外者によるアクセスを阻止するために接地装置３の前面に設けた盲蓋である。
【０００７】
上記の構成で、平時（主回路母線５が活線状態）は接地装置３を盤内における「断路位置」Ａに移動し、前記ロック棒８をロック板９に掛止してこの位置から移動できないようにするとともに、この状態で前記のレバー鎖錠機構１０が引出しレバー７をロック位置に鎖錠して手動ではロック棒８を引き上げ解除できないようにしている。
一方、配電盤の保守，点検を行う場合には、盤内に装備して主回路に接続した回路遮断器，断路器などの受配電機器を全てＯＦＦにして主回路母線５を外部の電力系統から切り離した上で、盤側から前記のレバー鎖錠機構１０に鎖錠解除指令（電気信号）を与えて引出しレバー７の鎖錠を解除する。次いで、接地装置３の前方から引出しレバー７を手動操作してロック棒８を引き上げ、ロック板９との係合を外した上で接地装置３を「断路位置」Ａから盤内の奥に押し込んで「接続位置」Ｂに移動し、この位置で再びロック棒８を下ろしてロック板９に掛止する。これにより、レバー鎖錠機構１０が作動して引出しレバー７がオートロックされる。その後に、接地装置３のハンドル３ｂをＯＮ操作して真空遮断器３ａを閉極し、該真空遮断器３ａを介して主回路母線５を接地母線６に導通させて盤内の主回路を接地する。
【０００８】
次に、レバー鎖錠機構１０の全体構造を図７〜図９に、またその要部構造を図１０（ａ）に示す。すなわち、レバー鎖錠機構１０は、前記の引出しレバー７（引出しレバー７は後端を支軸７ａに軸支して前方に延在している）に連結板１２および連結レバー１３を介して連繋した円板状のロックカム１４と、該ロックカム１４に係止して引出しレバー７をロック位置（ロック棒８を下ろした状態）に鎖錠する傾動式の係止爪片１５（磁性材）と、該係止爪片１５をアーマチュアとして吸引動作により係止爪片をロックカム１４から離脱させる電磁石１６と、係止爪片１５の傾動範囲を規制する調整ストッパ１７と、これら各部材を組み付けたフレーム１８と、さらに前記係止爪片１５に対向して電磁石１６と反対側（接地装置３の前面側）に組み付けた押しボタン式の鎖錠解除用操作ロッド１９との組立体で構成されている。
【０００９】
ここで、前記のロックカム１４は、円板の周上に係止爪片１５との係合段部を切欠き形成して支軸１４ａに軸支し、かつその板面に開口した長穴に連結ピン１３ａを嵌入して連結レバー１３と連結している。また、係止爪片１５はその下端を支軸１５ａに軸支して揺動可能に支持し、復帰ばね１５ｂにより先端爪部がロックカム１４に向けて押圧付勢されている。さらに解除用操作ロッド１９は、その先端を前記係止爪片１５に対峙し、反対側の操作端を接地装置３の前面に配した盲蓋３ｆ（図６（ｂ）参照）の内側に臨ませ、かつ復帰ばね１９ａにより係止爪片１５から離脱した位置に待機保持されている。
【００１０】
なお、１１は電磁石１６の端子台で、図４に示した配線プラグ３ｄに配線されており、配電盤側の制御ケーブルを配線プラグ３ｄに接続した状態で外部から与えた鎖錠解除指令（電気信号）により電磁石１６の操作コイルに励磁電流を通電し、その吸引動作でアーマチュアを兼ねた係止爪片１５を釈放位置に駆動して引出しレバー７の鎖錠を解除する。
次に、前記したレバー鎖錠機構１０の動作を図１０（ａ）〜（ｃ）で説明する。図１０（ａ）はロックカム１４に係止爪片１５が係止して引出しレバー７をロック位置に鎖錠している状態を表している。ここで、図６で述べたように接地装置３を配電盤内に搬入し、かつ接地装置３の配線プラグ３ｄに盤側の制御ケーブルを接続した状態で、接地装置３を盤内に指定した「断路位置」Ａと「接続位置」Ｂとの間で移動する場合には、まず制御ケーブルを通じて盤側から与えた鎖錠解除指令によりレバー鎖錠機構１０の電磁石１６を励磁し、その吸引動作により図１０（ｂ）で表すように係止爪片１５を釈放位置に駆動してロックカム１４との係合を解除する。これによりロックカム１４はフリーとなるので、引出しレバー７を前方から手動操作してロック棒８を図９（ａ）の鎖錠位置から図９（ｂ）の解除位置に引き上げてロック棒８とロック板９との係合を外すことにより、接地装置３を「断路位置」Ａから「接続位置」Ｂ，あるいは逆に「接続位置」Ｂから「断路位置」Ａに移動することができる。なお、接地装置３を移動するとレバー鎖錠機構１０の電磁石１６はリセット（非励磁）される。そして、この移動位置で引出しレバー７を下ろししてロック棒８をロック板９に掛止させると、レバー鎖錠機構１０のロックカム１４が時計方向に回動し、その過程でばね付勢された掛止爪片１５がロックカム１４に係止して引出しレバー７が図１０（ａ）の鎖錠状態に復帰する。
【００１１】
一方、接地装置３を盤外からに搬入する、あるいは盤内から外部に搬出する場合には、図６に示した配線プラグ３ｄと盤側の制御ケーブルとの間が接続されてなく、したがってレバー鎖錠機構１０の電磁石１６は非励磁の状態にあって引出しレバー７，ロック棒８がロック位置に鎖錠されており、このままでは引出しレバー７を解除位置に引き上げ操作することができない。
【００１２】
そこで、この場合には接地装置３の前面に配した盲蓋３ｆ（図６（ｂ）参照）を外して前方からレバー鎖錠機構１０にアクセスし、鎖錠解除用の操作ロッド１９を手動（指先）で押し込む。これにより、図１０（ｃ）で示すように操作ロッド１９により押し込まれた係止爪片１５がロックカム１４から離脱して引出しレバー７の鎖錠が解除される。したがって、この状態を保持したまま引出しレバー７を手動で持ち上げて、ロック棒８を図９（ｂ）の解除位置に引き上げることで、接地装置３を配電盤に搬入，搬出できる。
【特許文献１】特開２００６−３４０２３号公報
【発明の開示】
【発明が解決しようとする課題】
【００１３】
ところで、前記した従来構造の鎖錠装置では、運搬用のリフターなどに積載して盤外から配電盤に搬入した接地装置（受配電機器）３を、盤内の「断路位置」Ａ（図６（ａ）参照）に移動する際には作業面で次記のような問題がある。
すなわち、接地装置３を盤内に搬入する際には、図８に示した端子ブロック１１に盤側の制御ケーブルが接続されてなく、したがってレバー鎖錠機構１０に鎖錠解除の指令を与えることができない。そのために、引出しレバー７がロック位置に拘束されていてロック棒８を引き上げることかできず、このまま接地装置３の台車３ｅを盤内に押し込んでもロック棒８がクレードルの底部に配したロック板９の前端に当たって「断路位置」Ａに移動できない。
【００１４】
この場合に、先記した従来構造の鎖錠装置では、接地装置３の前面に配した盲蓋３ｆを外した上で、図１０（ｃ）で述べたように解除用操作ロッド１９を押し込んでレバー鎖錠機構１０の係止爪片１５を強制的に解除位置に後退させながら引出しレバー７を手動操作してロック棒８を上昇させ、台車３ｅを盤内に搬入するようにしている。
しかしながら、この一連の搬入作業の過程で解除用操作ロッド１９の押し込み操作を忘れて接地装置３を盤内に押し込むと、ロック棒８がロック板９に突き当たってロック機構が破損するおそれがある。また、解除用操作ロッド１９を押し込みながら同時に引出しレバー７を引き上げて台車を押し込むには両手を使わなければならず、しかもこの作業中に盤外からリフターに積載して搬入する機器は固定されてないため、誤って機器が落下する危険も伴う。
【００１５】
本発明は上記の点に鑑みなされたものであり、その目的は前記課題を解決し、受配電機器を盤外から配電盤に搬入して所定位置に押し込みセットする際に、手動による面倒な鎖錠解除の操作を要さずに、機器を安全に搬入できるようレバー鎖錠機構を改良した受配電機器の鎖錠装置を提供することにある。
【課題を解決するための手段】
【００１６】
上記目的を達成するために、本発明によれば、クレードルに搭載して配電盤内に収容した引出し形受配電機器を主回路母線との「接続位置」，「断路位置」にロックし、外部からの釈放信号によりロック状態を釈放して機器を移動可能にする引出し形受配電機器の鎖錠装置で、該鎖錠装置が手動で操作する引出しレバーに連繋して機器台車に装備したロック棒、クレードルの底部に配して前記ロック棒を「接続位置」,「断路位置」と対応する位置に掛止するロック板、常時は前記引出しレバーをロック位置に鎖錠し、外部からの釈放信号を受けて引出しレバーの鎖錠を解除する電磁式のレバー鎖錠機構、および該レバー鎖錠機構に付設して鎖錠を機械的に強制解除する鎖錠解除部材とから構成したものにおいて、
盤外から搬入した受配電機器を盤内の「断路位置」へ移動する経路途上で、前記の鎖錠解除部材を介してレバー鎖錠機構を解除状態に拘束保持させる機械的なインターロック手段を備えるものとし（請求項１）、具体的に次記のような態様で構成する。
（１）前記のレバー鎖錠機構は、引出しレバーに連繋したロックカムと、該ロックカムをロック位置に係止する電磁石のアーマチュアを兼ねた係止爪片と、外部からの解除信号を受けて前記係止爪片を解除位置に吸引駆動する電磁石と、機械式の鎖錠解除部材として前記係止爪片に先端を対向して配した復帰ばね付きの操作ロッドとの組立体になり、ここで前記操作ロッドにインターロック手段を連繋させて機器の搬入時にレバー鎖錠機構を自動的に解除状態に拘束保持させるようにする（請求項２）。
（２）前記のインターロック手段は、鎖錠解除用操作ロッドの押し込み操作端に対向して該操作ロッドを前進／後退位置に切替え制御する上下動式のアクチュエータと、該アクチュエータの下端に設けたガイドローラと、該ローラに対峙して盤内に配備のクレードル底部に敷設したレール状のカム板とから構成し、ここで前記カム板は盤内における受配電機器の搬入位置と「接続位置」との間の移動経路に沿ってクレードルの底部に敷設しておき、このカム板にガイドローラが乗り上げると鎖錠解除用操作ロッドが後退してレバー鎖錠機構を定常状態に復帰させるようにする（請求項３）。
【発明の効果】
【００１７】
上記の構成により、盤外から配電盤に搬入した受配電機器を「断路位置」に押し込む移動途上（この状態では、受配電機器に装備したレバー鎖錠機構の電磁石は制御電源に接続されてない）では、鎖錠解除用操作ロッドがインターロック手段のアクチュエータにより押し込まれてレバー鎖錠機構を鎖錠解除の状態に拘束保持する。したがって、機器の搬入移動途上では引出しレバーを自由に上げ，下げ操作することが可能となる。これにより、受配電機器を支障なく盤内の「断路位置」に移動して係止ロックさせることができる。また、機器を盤内の「断路位置」に押し込んだ状態では前記の鎖錠解除用操作ロッドが後退するので、レバー鎖錠機構は定常状態に復帰して引出しレバーを「断路位置」，「接続位置」でロック位置に鎖錠することが可能となる。
【発明を実施するための最良の形態】
【００１８】
以下、引出し形接地装置に装備した鎖錠装置を例に、本発明の実施の形態を図１〜図５に示す実施例に基づいて説明する。なお、図１は盤内への機器搬入途上における鎖錠装置の動作説明図、図２，図３および図４，図５は図１の盤外位置，断路位置に対応した動作状態を表す鎖錠装置の詳細構造図であり、図７〜図１０における対応部材には同じ符号を付してその説明は省略する。
【００１９】
図示実施例の鎖錠装置の構造，機能は、図７〜図１０で述べた従来構造の鎖錠装置と基本的に同様であるが、図１０に示した解除用操作ロッド１９に対して、盤外から搬入した接地装置を盤内の「断路位置」へ移動する経路途上で操作ロッド１９を押し込み、レバー鎖錠機構１０を鎖錠解除の状態に拘束保持させる機械的なインターロック手段を新たに追加構築しており、次にそのインターロック手段の詳細構造を図２〜図５で説明する。
【００２０】
すなわち、インターロック手段は、前記操作ロッド１９の押込み操作端に対向してレバー鎖錠機構１０のフレーム前端面に配置したアクチュエータ２０と、アクチュエータ２０の下端に取付けたガイドローラ２１と、ガイドローラ２１に対峙してクレードル２の底部に敷設したレール状のカム板２２とからなる。
ここで、アクチュエータ２０はその下端が接地装置の台車３ｅを貫通してクレードル２の底部近くまで延在した縦長の板で、前記操作ロッド１９との対向面域に切欠き部２０ａ，および該切欠き部２０ａに向けてその上縁から傾斜して前方に突き出した舌片状の押込み片２０ｂを形成した上で、上下方向のガイド長穴２０ｃに嵌挿したボルト２３，間隔管２４を介してレバー鎖錠機構１０のフレーム前端面に上下可動に案内支持されており、さらに復帰ばね２５を介して下向きにばね付勢されている。
【００２１】
また、前記のレール状カム板２２は盤内における接地装置の移動経路（搬入位置から接続位置の間）に沿って、ロック板９の側方に並べてクレードル２の底部から起立するように敷設されており、カム板２２の前端は斜めカットしてテーパ面２２ａ（図４参照）を形成している。
上記の構成で、インターロック手段のアクチュエータ２０が図２，図３に示す下降位置に停止している状態では、図２（ｂ）で示すように鎖錠解除用操作ロッド１６の先端がアクチュエータ２０の板面に突き当たって左側に押し込まれる。したがって、図１０（ｃ）で述べたようにレバー鎖錠機構１０の係止爪片１５がロックカム１４から離間し、これにより引出しレバー７は自由な上げ，下げ操作が可能となる。
【００２２】
一方、図４，図５で示すようにアクチュエータ２０の下端に設けたガイドローラ２１がレール状カム板２２の上に乗り上げた状態では、アクチュエータ２０が復帰ばね２５に抗して上方に押し上げられ、その板面に形成した切欠き部２０ａが操作ロッド１９の先端に向き合うようになる。これにより、操作ロッド１９は復帰ばね１９ａのばね力を受けて右方に後退し、係止爪片１５から離脱すると同時に係止爪片１５はその復帰ばね１５ｂのばね力を受けて時計方向に回動復帰する。したがって、この状態では引出しレバー７が押し下げ位置にロックされることになる（図１０（ａ）参照）。
【００２３】
次に、接地装置３をリフターなどに積載して盤外から配電盤に搬入し、盤内の「断路位置」（図６（ａ）参照）に押し込む移動経路途上での各位置に対応する前記鎖錠装置の動作を図１により説明する。なお、この機器の搬入過程では図６に示した配線プラグ３ｄに盤側の制御ケーブルが接続されてなく、レバー鎖錠機構１０の電磁石１６は非励磁の状態にある。
【００２４】
まず、接地装置をリフターから配電盤に移載する途中の盤外位置（図１の右側位置）では、インターロック手段のアクチュエータ２０が復帰ばね２５のばね力を受けて下降しており、この状態では図２で述べたようにレール鎖錠機構１０に組み付けた鎖錠解除用操作ロッド１９がアクチュエータ２０の板面により押し込まれて係止爪片１５を解除位置に拘束保持している。したがって、引出しレバー７はロック棒８とともに上げ，下げ自由の状態にある。
【００２５】
この盤外位置から接地装置の台車３ｅを搬入位置（図１の中央位置）に押し込むと、ロック棒８はクレードルの底部に配置したロック板９の前縁側スロープに乗り、その斜面に沿って上方に押し上げられるとともに、この動きに従動して引出しレバー７が上昇するとともに、ロックカム１４も反時計方向に回動する。なお、この搬入位置ではアクチュエータ２０の下端に設けたガイドローラ２１がレール状カム板２１の先端テーパ面に乗り上げるようになるが、鎖錠解除用操作ロッド１９はアクチュエータ２０の板面に押し込まれたままで係止爪片１５を解除位置に拘束保持している。
【００２６】
そして、この搬入位置から図１の左側に表した断路位置に移動すると、アクチュエータ２０の下端に設けたガイドローラ２１がカム板２２の上に乗り上げる。これにより、アクチュエータ２０が上方に押し上げられるとともに、解除用操作ロッド１９はアクチュエータ２０の切欠き部２０ａに突き出すように右方に後退移動して係止爪片１５から離間する。この結果、係止爪片１５は復帰ばね１５ｂのばね力を受けて時計方向に回動する。また、接地装置の台車３ｅが断路位置に到達すると、ロック棒８はロック板９の角穴に落ち込んでこの位置に係止されるとともに、このロック棒８の動きに従動してロックカム１４が反時計方向に回動する。その結果、係止爪片１５の先端がロックカム１４の係合段部に嵌まり込んで引出しレバー７をこの位置から引き上げられないように鎖錠する。この一連の搬入動作によれば、図１０（ｃ）で述べたように手動による解除用操作ロッド１９の押込み操作を必要とせずに、接地装置を盤外から盤内へ押し込むだけで安全に搬入，セットすることができる。なお、この断路位置では盤内の制御ケーブルを図３に示した端子部１１に接続し、電磁石１６に外部から鎖錠の解除指令が与えられるようにしておく。
【００２７】
また、接地装置を図６の「断路位置」Ａから「接続位置」Ｂに移動するには、従来装置と同様に、外部からの解除信号により電磁石１６を励磁して係止爪片１５を吸着し、レバー鎖錠機構１０の鎖錠を解除する（図１０（ｂ）参照）。その上で、引出しレバー７を手動操作により引き上げてロック棒８／ロック板９の係止を一旦外し、続いて台車３ｅを「断路位置」から「接続位置」に移動してロック棒８をロック板９に係止させる。
【００２８】
なお、図示実施例は接地装置への適用を例に述べたが、本発明の鎖錠装置は接地装置への適用に限定されるものではなく、引出し形回路遮断器などの各種の受配電機器にも同様に実施適用できる。
【図面の簡単な説明】
【００２９】
【図１】本発明の実施例による鎖錠装置の動作の説明図で、受配電機器を盤内に搬入する移動途上での盤外，搬入，断路位置に対応した鎖錠装置の動作状態を表す図
【図２】図１における盤外位置に対応した動作状態を表す鎖錠装置の詳細構造図で、（ａ）は鎖錠装置全体の側面図、（ｂ）は（ａ）におけるＰ部の拡大断面図
【図３】図２（ａ）の正面図
【図４】図１における断路位置に対応した動作状態を表す鎖錠装置全体の側面図
【図５】図４の正面図
【図６】接地装置をクレードルに搭載して配電盤に収容した状態での装置全体の構成図で、（ａ），（ｂ）はそれぞれ側面図，および正面図
【図７】図６における鎖錠装置の従来構造を示す側面図
【図８】図７の平面図
【図９】図７に示した鎖錠装置の正面図で、（ａ），（ｂ）はそれぞれロック機構が鎖錠，解除位置に保持されている状態を表す図
【図１０】図７に示したレバー鎖錠機構の構造，動作の説明図で、（ａ）は引出しレバーの鎖錠状態、（ｂ）は外部からの信号で鎖錠を解除した状態、（ｃ）は手動操作で鎖錠を解除した状態を表す図
【符号の説明】
【００３０】
１    配電盤
２    クレードル
３    接地装置（受配電機器）
３ｅ  台車
４    主回路断路部
７    引出しレバー
８    ロック棒
９    ロック板
１０    レバー鎖錠機構
１４    ロックカム
１５    係止爪片
１６    電磁石
１９    解除用操作ロッド
２０    インターロック手段のアクチュエータ
２１    ガイドローラ
２２    レール状カム板
【図１】
2008092669.tif 000003
【図２】
2008092669.tif 000004
【図３】
2008092669.tif 000005
【図４】
2008092669.tif 000006
【図５】
2008092669.tif 000007
【図６】
2008092669.tif 000008
【図７】
2008092669.tif 000009
【図８】
2008092669.tif 000010
【図９】
2008092669.tif 000011
【図１０】
2008092669.tif 000012